【手続補正書】
【提出日】平成18年12月12日(2006.12.12)
【手続補正１】
【補正対象書類名】特許請求の範囲
【補正対象項目名】全文
【補正方法】変更
【補正の内容】
【特許請求の範囲】
【請求項１】
ネットワーク上に分散した各装置と通信して各装置で提供可能な機能をサービスとして利用可能なサービス処理装置であって、
各装置から提供される個々のサービスに対する連携情報を含むサービス情報を取得する取得手段と、
前記取得手段により取得される各装置のサービス情報に基づいて各サービスの連携情報を評価して、表示部に表示すべき各サービスの優先順位を決定する決定手段と、
前記決定手段により決定される優先順位に基づいて各サービスを前記表示部に表示する制御手段と、
を有することを特徴とするサービス処理装置。
【請求項２】
前記制御手段は、前記表示部に表示されるサービスの選択状態に基づいて、次に表示すべきサービスの表示内容を変更することを特徴とする請求項１記載のサービス処理装置。
【請求項３】
前記連携情報は、サービスの実行前に実行せねばならないサービス、サービスの実行前に実行した方がよいサービス、サービスの実行後に実行した方がよいサービスを含むことを特徴とする請求項１記載のサービス処理装置。
【請求項４】
前記表示部に表示されるサービスの実行を各装置に依頼する依頼手段を有することを特徴とする請求項１記載のサービス処理装置。
【請求項５】
要求元の処理装置からサービス要求に対して所定の機能を実行するサービスを提供可能なサービス処理装置であって、
提供可能なサービス毎のサービス情報を記憶する記憶手段と、
前記要求元の処理装置からのサービス情報取得要求に基づいて、前記記憶手段に記憶されている前記サービス情報を送信する送信手段と、
前記要求元からのサービス要求に基づいて、所定の機能に基づくサービスを実行する実行手段と、
を備えることを特徴とするサービス処理装置。
【請求項６】
前記表示部に表示されているサービスの実行順序を変更する変更手段を備え、
前記制御手段は、前記変更手段により前記サービスの実行順序を変更した場合に、前記表示部に表示されるサービスの表示方法を変更することを特徴とする請求項１に記載のサービス処理装置。
【請求項７】
前記連携情報は、複数のサービスを組み合わせた推奨連携動作情報を含み、
前記決定手段は、前記取得手段により取得される各装置のサービス情報に基づいて各サービスの推奨連携動作情報から、表示部に表示すべき各サービスの優先順位を決定することを特徴とする請求項１に記載のサービス処理装置。
【請求項８】
前記制御手段は、実行できない推奨連携動作を取り除いた推奨連携動作を前記表示部に表示することを特徴とする請求項７に記載のサービス処理装置。
【請求項９】
前記連携情報は、サービス実行前に実行されるとサービスが実行できなくなる禁止サービス情報として、複数のサービスを組み合わせた推奨連携動作情報を含み、
前記制御手段は、前記禁止サービスを取り除いたサービスを前記表示部に表示することを特徴とする請求項８に記載のサービス処理装置。
【請求項１０】
前記連携情報は、サービスで利用可能文書フォーマット及びサービス実行後の文書フォーマットを含み、
前記決定手段は、サービスの実行過程において前記利用可能フォーマットと前記サービス実行後の文書フォーマットを比較して、利用不可能なサービスを表示対象から取り除いた表示順番を決定することを特徴とする請求項１に記載のサービス処理装置。
【請求項１１】
各装置との間は、ＳＯＡＰを用いて通信することを特徴とする請求項１に記載のサービス処理装置。
【請求項１２】
ネットワーク上に分散した各装置と通信して各装置で提供可能な機能をサービスとして利用可能なサービス処理装置におけるサービス表示方法であって、
各装置から提供される個々のサービスに対する連携情報を含むサービス情報を取得する取得ステップと、
前記取得ステップにより取得される各装置のサービス情報に基づいて各サービスの  連携情報から、表示部に表示すべき各サービスの優先順位を決定する決定ステップと、
前記決定ステップにより決定される優先順位に基づいて各サービスを前記表示部に表示する制御ステップと、
を有することを特徴とするサービス表示方法。
【請求項１３】
前記制御ステップは、前記表示部に表示されるサービスの選択状態に基づいて、次に表示すべきサービスの表示内容を変更することを特徴とする請求項１２記載のサービス表示方法。
【請求項１４】
前記連携情報は、サービスの実行前に実行せねばならないサービス、サービスの実行前に実行した方がよいサービス、サービスの実行後に実行した方がよいサービスを含むことを特徴とする請求項１２記載のサービス表示方法。
【請求項１５】
前記表示部に表示されるサービスの実行を各装置に依頼する依頼ステップを有することを特徴とする請求項１２記載のサービス表示方法。
【請求項１６】
提供可能なサービス毎のサービス情報を記憶する記憶手段を備え、要求元の処理装置からサービス要求に対して所定の機能を実行するサービスを提供可能なサービス処理装置におけるサービス処理方法であって、
前記要求元の処理装置からのサービス情報取得要求に基づいて、前記記憶手段に記憶されている前記サービス情報を送信する送信ステップと、
前記要求元からのサービス要求に基づいて、所定の機能に基づくサービスを実行する実行ステップと、
を備えることを特徴とするサービス処理方法。
【請求項１７】
前記表示部に表示されているサービスの実行順序を変更する変更ステップを備え、
前記制御ステップは、前記変更ステップにより前記サービスの実行順序を変更した場合に、前記表示部に表示されるサービスの表示方法を変更することを特徴とする請求項１２に記載のサービス表示方法。
【請求項１８】
前記連携情報は、複数のサービスを組み合わせた推奨連携動作情報を含み、
前記決定ステップは、前記取得手段により取得される各装置のサービス情報に基づいて各サービスの推奨連携動作情報から、表示部に表示すべき各サービスの優先順位を決定することを特徴とする請求項１２に記載のサービス表示方法。
【請求項１９】
前記制御ステップは、実行できない推奨連携動作を取り除いた推奨連携動作を前記表示部に表示することを特徴とする請求項１８に記載のサービス表示方法。
【請求項２０】
前記連携情報は、サービス実行前に実行されるとサービスが実行できなくなる禁止サービス情報として、複数のサービスを組み合わせた推奨連携動作情報を含み、
前記制御ステップは、前記禁止サービスを取り除いたサービスを前記表示部に表示することを特徴とする請求項１９に記載のサービス表示方法。
【請求項２１】
前記連携情報は、サービスで利用可能文書フォーマット及びサービス実行後の文書フォーマットを含み、
前記決定ステップは、サービスの実行過程において前記利用可能フォーマットと前記サービス実行後の文書フォーマットを比較して、利用不可能なサービスを表示対象から取り除いた表示順番を決定することを特徴とする請求項１２に記載のサービス表示方法。
【請求項２２】
各装置との間は、ＳＯＡＰを用いて通信することを特徴とする請求項１２に記載のサービス表示方法。
【請求項２３】
請求項１２〜２２のいずれかに記載のサービス処理方法を実行させるためのプログラムを格納したことを特徴とするコンピュータが読み取り可能な記憶媒体。
【請求項２４】
請求項１２〜２２のいずれかに記載のサービス処理方法をコンピュータに実行させる特徴とするプログラム。